(57)【要約】      （修正有）【課題】一般ユーザーが通常使用している家電製品等を使用して簡単に警報器連動システムを構築でき、いつでもシステムを変更でき、さらに簡単に動作確認もできる電源中継装置を提供する。【解決手段】監視エリアの異常を検出する警報器からの信号を受信する受信部１０と、電源の供給を中継する電源中継部１２と、受信部１０で受信した無線信号の内容に応じて電源中継部１２の中継動作を制御する中継制御部１１とを備え、電源中継部１２を介した電源からの電力を外部機器が接続される接続端子７ｂ、７ｃに供給する。【選択図】図２
0003173300.tif 000002
【実用新案登録請求の範囲】
【請求項１】
監視エリアの異常を検出する警報器からの信号を受信する受信部と、
電源の供給を中継する電源中継部と、
前記受信部で受信した信号の内容に応じて前記電源中継部の中継動作を制御する中継制御部とを備え、
前記電源中継部を介した電源からの電力を外部機器が接続される接続端子に供給することを特徴とする電源中継装置。
【請求項２】
前記受信部は前記警報器と有線で接続されることを特徴とする請求項１記載の電源中継装置。
【請求項３】
前記受信部は前記警報器からの無線信号を受信することを特徴とする請求項１記載の電源中継装置。
【請求項４】
前記電源中継部に対する制御動作を選択する制御動作選択手段を備えることを特徴とする請求項２または３記載の電源中継装置。
【請求項５】
前記受信部と電源中継部及び中継制御部が外部機器を接続可能なコンセントボックス内に配置されてなることを特徴とする請求項１〜４のいずれか１項に記載の電源中継装置。
【請求項６】
前記中継制御部は、前記電源中継部に対して、前記無線信号を受信してから所定の制御開始遅延時間経過後に中継動作の制御を開始することを特徴とする請求項１〜５のいずれか１項に記載の電源中継装置。
【請求項７】
前記制御開始遅延時間を設定する制御開始遅延時間設定手段を備えることを特徴とする請求項６記載の電源中継装置。
【請求項８】
前記電源中継部に対する制御動作を強制的に解除する制御解除手段を備えることを特徴とする請求項１〜７のいずれか１項に記載の電源中継装置。
【請求項９】
前記中継制御部は、前記制御解除手段による制御解除動作から所定の制御解除遅延時間経過後に、前記電源中継部に対する制御を解除することを特徴とする請求項８記載の電源中継装置。
【請求項１０】
前記制御解除遅延時間を設定する制御解除遅延時間設定手段を備えることを特徴とする請求項９記載の電源中継装置。
【請求項１１】
前記電源中継部に対する制御動作を選択する制御動作選択手段と、制御開始遅延時間を設定する制御開始遅延時間設定手段と、前記電源中継部に対する制御動作中に、強制的に該制御動作を解除する制御解除手段と、制御解除遅延時間を設定する制御解除遅延時間設定手段との、全てあるいは一部を有し、
前記外部機器接続端子は複数設けられ、該複数の外部機器接続端子のそれぞれの制御に対応して前記制御動作選択手段、前記制御開始遅延時間設定手段、前記制御解除手段、前記制御解除遅延時間設定手段のうち少なくとも一つが複数設けられることを特徴とする請求項１〜１０のいずれか１項に記載の電源中継装置。
【請求項１２】
複数の外部機器接続端子に対し、前記制御動作選択手段、前記制御開始遅延時間設定手段、前記制御解除手段、前記制御解除遅延時間設定手段のうち少なくとも一つの設定を、前記複数の外部接続端子のうち、少なくとも二つ以上に対して一括で設定する一括設定手段を備えることを特徴とする請求項１１記載の電源中継装置。
いずれかに記載の電源中継装置。
【請求項１３】
中継動作を確認する動作試験の開始を指示する試験指示手段を備え、該試験指示手段によって動作試験の開始を指示された場合に、前記中継制御部は所定の電源中継制御を行うことを特徴とする請求項１〜１２のいずれか１項に記載の電源中継装置。
【考案の詳細な説明】
【技術分野】
【０００１】
本考案は、警報器からの異常警報または試験信号を受信することで電源のオン・オフ制御を行う電源中継装置に関する。
【背景技術】
【０００２】
住宅における火災やガス漏れなどの異常を検出して警報する住宅用の警報器が普及しており、近年にあっては、１つの住戸に複数の警報器を設置して、部屋毎に火災などの異常を監視する傾向も増加している。
【０００３】
このように住戸内に複数の警報器を設置した場合、異常が発生した部屋とは別の部屋に人がいた場合、警報音が聞こえず火災などの災害が広がる恐れがある。このため、警報器同士を有線接続し、ある警報器で火災を検出して警報した場合、他の警報器に信号を送って同時に警報させる連動警報ができるようにしている。
【０００４】
また、警報器からの信号に連動して他の機器を動作させることも行われている。例えば、夜間に監視エリア内において火災等の異常が検出された場合、安全避難のため照明装置を自動的に点灯させたり、あるいは警報器からの信号に連動して電話機を制御し、音声メッセージを出力させたりするものが知られている。また、警報器からの受信信号に応じて接点を開閉させ、警報器以外の機器を連動させるシステムも知られている。警報器からの信号により照明装置を自動的に点灯させるシステムとしては、例えば特許文献１に挙げるようなものがある。
【特許文献１】特開２００６−３９８１８号公報
【考案の開示】
【考案が解決しようとする課題】
【０００５】
しかし、警報器からの信号に連動して他の機器を動作させるシステムは、その構築に専門知識が必要であったり、特別な配線加工や工事が必要であったり、また連動機器の選択範囲に制約が多かったりするものであった。したがって、一般ユーザーが気軽にかつ柔軟に使用できるものではなかった。
【０００６】
本考案は前記課題を鑑みてなされたものであり、一般ユーザーが通常使用している家電製品等を使用して簡単に警報器連動システムを構築でき、いつでもシステムを変更でき、さらに簡単に動作確認もできる電源中継装置を提供することを目的とする。
【課題を解決するための手段】
【０００７】
前記課題を解決するため、本考案に係る電源中継装置は、監視エリアの異常を検出する警報器からの信号を受信する受信部と、
電源の供給を中継する電源中継部と、
前記受信部で受信した信号の内容に応じて前記電源中継部の中継動作を制御する中継制御部とを備え、
前記電源中継部を介した電源からの電力を外部機器が接続される接続端子に供給することを特徴として構成されている。
【０００８】
また、本考案に係る電源中継装置は、前記受信部は前記警報器と有線で接続されることを特徴として構成されている。
【０００９】
さらに、本考案に係る電源中継装置は、前記受信部は前記警報器からの無線信号を受信することを特徴として構成されている。
【００１０】
さらにまた、本考案に係る電源中継装置は、前記電源中継部に対する制御動作を選択する制御動作選択手段を備えることを特徴として構成されている。
【００１１】
そして、本考案に係る電源中継装置は、前記受信部と電源中継部及び中継制御部が外部機器を接続可能なコンセントボックス内に配置されてなることを特徴として構成されている。
【００１２】
また、本考案に係る電源中継装置は、前記中継制御部は、前記電源中継部に対して、前記無線信号を受信してから所定の制御開始遅延時間経過後に中継動作の制御を開始することを特徴として構成されている。
【００１３】
さらに、本考案に係る電源中継装置は、前記制御開始遅延時間を設定する制御開始遅延時間設定手段を備えることを特徴として構成されている。
【００１４】
さらにまた、本考案に係る電源中継装置は、前記電源中継部に対する制御動作を強制的に解除する制御解除手段を備えることを特徴として構成されている。
【００１５】
そして、本考案に係る電源中継装置は、前記中継制御部は、前記制御解除手段による制御解除動作から所定の制御解除遅延時間経過後に、前記電源中継部に対する制御を解除することを特徴として構成されている。
【００１６】
また、本考案に係る電源中継装置は、前記制御解除遅延時間を設定する制御解除遅延時間設定手段を備えることを特徴として構成されている。
【００１７】
さらに、本考案に係る電源中継装置は、前記電源中継部に対する制御動作を選択する制御動作選択手段と、制御開始遅延時間を設定する制御開始遅延時間設定手段と、前記電源中継部に対する制御動作中に、強制的に該制御動作を解除する制御解除手段と、制御解除遅延時間を設定する制御解除遅延時間設定手段との、全てあるいは一部を有し、
前記外部機器接続端子は複数設けられ、該複数の外部機器接続端子のそれぞれの制御に対応して前記制御動作選択手段、前記制御開始遅延時間設定手段、前記制御解除手段、前記制御解除遅延時間設定手段のうち少なくとも一つが複数設けられることを特徴として構成されている。
【００１８】
さらにまた、本考案に係る電源中継装置は、複数の外部機器接続端子に対し、前記制御動作選択手段、前記制御開始遅延時間設定手段、前記制御解除手段、前記制御解除遅延時間設定手段のうち少なくとも一つの設定を、前記複数の外部接続端子のうち、少なくとも二つ以上に対して一括で設定する一括設定手段を備えることを特徴として構成されている。
【００１９】
そして、本考案に係る電源中継装置は、中継動作を確認する動作試験の開始を指示する試験指示手段を備え、該試験指示手段によって動作試験の開始を指示された場合に、前記中継制御部は所定の電源中継制御を行うことを特徴として構成されている。
【考案の効果】
【００２０】
本考案に係る電源中継装置によれば、監視エリアの異常を検出する警報器からの信号を受信する受信部と、電源の供給を中継する電源中継部と、受信部で受信した信号の内容に応じて電源中継部の中継動作を制御する中継制御部とを備え、電源中継部を介した電源からの電力を外部機器が接続される接続端子に供給することにより、任意の外部機器を接続して電源供給の制御を行うことができるため、特別な電気知識や電気配線知識等を持たない一般ユーザーであっても、特別な配線加工や工事の必要もなく、通常使用している家電製品等を使用して簡単に警報器連動システムを構築でき、またいつでもシステムを変更でき、簡単に動作確認することができる。通常使用している家電製品等を使用してシステム構築できるので、余計な費用の発生も抑制できる。
【００２１】
また、本考案に係る電源中継装置によれば、受信部は警報器と有線で接続されることにより、簡易なシステムで警報器連動システムを構築することができる。
【００２２】
さらに、本考案に係る電源中継装置によれば、受信部は警報器からの無線信号を受信することにより、電源中継装置と警報器の間の配線が不要となり、電源中継装置を容易に設置することができる。
【００２３】
さらにまた、本考案に係る電源中継装置によれば、電源中継部に対する制御動作を選択する制御動作選択手段を備えることにより、接続する外部機器に応じて制御動作を選択することができる。
【００２４】
そして、本考案に係る電源中継装置によれば、受信部と電源中継部及び中継制御部が外部機器を接続可能なコンセントボックス内に配置されてなることにより、コンセントボックスの設置工事と共に電源中継装置を設置することができ、簡単に警報器連動システムを構築することができる。
【００２５】
さらに、本考案に係る電源中継装置によれば、中継制御部は、電源中継部に対して、無線信号を受信してから所定の制御開始遅延時間経過後に中継動作の制御を開始することにより、制御パターンを多様化することができる。
【００２６】
さらにまた、本考案に係る電源中継装置によれば、電源中継部に対する制御動作を強制的に解除する制御解除手段を備えることにより、制御中に強制解除を行うことができる。
【００２７】
そして、本考案に係る電源中継装置によれば、中継制御部は、制御解除手段による制御解除動作から所定の制御解除遅延時間経過後に、電源中継部に対する制御を解除することにより、制御パターンを多様化することができる。
【００２８】
また、本考案に係る電源中継装置によれば、外部機器接続端子は複数設けられ、複数の外部機器接続端子のそれぞれの制御に対応し制御動作選択手段、制御開始遅延時間設定手段、制御解除手段、制御解除遅延時間設定手段のうち少なくとも一つが複数設けられることにより、複数の外部機器を接続でき、また各々を独立して制御することができる。
【００２９】
さらに、本考案に係る電源中継装置によれば、複数の外部機器接続端子に対し、制御動作選択手段、制御開始遅延時間設定手段、制御解除手段、制御解除遅延時間設定手段のうち少なくとも一つの設定を、複数の外部接続端子のうち、少なくとも二つ以上に対して一括で設定する一括設定手段を備えることにより、複数の外部機器に対し一括した制御を行うことができる。
【００３０】
さらにまた、本考案に係る電源中継装置によれば、中継動作を確認する動作試験の開始を指示する試験指示手段を備え、該試験指示手段によって動作試験の開始を指示された場合に、連動設定した電源中継制御を行うようにしたので、ユーザーが設定した連動内容および動作を、屋内の各所に設置された警報器をわざわざ操作することなく、簡単に確認することができる。
【考案を実施するための最良の形態】
【００３１】
本考案の実施形態について、一例を図面に沿って詳細に説明する。中継する電源はどのようなものであってもよいが、ここでは一般的な家電製品の電源となる交流１００Ｖ電源を中継する場合について示す。図１は、本実施形態における電源中継装置を用いた防災システムの概要図である。この図に示すように、防災システムは、家屋内に複数の警報器２を設けてあり、警報器２は互いに有線で接続されて相互に通信を行うものである。また、各警報器２と有線で接続され、これらからの信号を受信して電源からの電力供給を制御する電源中継装置１が、コンセントボックス７内に設けられる。もちろん、警報器２を一台だけ使用するシステムや、警報器２同士は相互通信を行わないシステムであっても、警報器２から電源中継装置１へ警報信号を伝送可能であれば、本考案をそのまま適用できる。図１において、コンセントボックス７は埋め込みスイッチボックスを適用しているが、露出埋め込みボックスや、その他類似のものが適用できる。
【００３２】
本実施形態においては、警報器２は煙を感知（検出）して火災を警報する警報器であるものとして説明する。警報器２は煙を感知すると音声警報を発するように構成され、煙を感知した警報器２においては、他の警報器２や電源中継装置１に対して警報信号を送信し、他の警報器２においては、警報信号を受信して音声警報を発するようにされている。
【００３３】
電源中継装置１は、コンセントボックス７から外部機器への電力の供給を制御する。コンセントボックス７は、部屋の壁面に設けられて室内に露出する露出部７ａを有し、この露出部７ａに外部機器の電源接続部を差し込み接続する第１接続端子７ｂ及び第２接続端子７ｃが設けられる。また、コンセントボックス７は壁面内に空洞状の領域を有し、この領域に外部からの電源線が接続され、また警報器２からの信号線が接続されると共に、電源中継装置１が配置される。電源中継装置はコンセントボックス７と別体に設けてもよく、警報器２が有線式である場合には、警報器２と電源中継装置１とを結ぶ信号線の線路内に、無線式の場合には適宜の場所に設置することが出来る。
【００３４】
ここで、外部からの電源は、たとえば交流１００Ｖ等の商用電源であり、電源中継装置１で中継制御されて交流１００Ｖ電源として外部機器に供給される。電力供給を制御されるのは、電源中継装置１に接続された外部機器であって、ここでは外部機器として照明器具３と暖房装置４を接続している。また、電源中継装置１は、コンセントボックス７から室内側に露出し、各種操作を行うことのできる操作部１６及び電源中継の状態や操作部１６による操作の状態などを表示する表示部１３を備えている。
【００３５】
照明器具３は、卓上に設置される一般的な電気スタンドであり、電力が供給されることで光を発し、電力の供給が停止されることで光が消える。また、暖房装置４は、屋内に設置される一般的なファンヒーターであり、電力が供給されることで屋内を加熱し、電力の供給が停止されることで加熱を停止する。
【００３６】
電源中継装置１は、以下に説明する構成を有することにより、警報器２からの警報信号または試験信号を受信すると、照明器具３に対しては外部電源からの電力供給を開始し、暖房装置４に対しては外部電源からの電力供給を停止するものである。警報の発生に伴い、電源中継装置１が照明器具３をオンにすることで、暗所であっても、非常時が夜間であっても慌てることなく良好な視界を確保でき、また警報の発生に伴い電源中継装置１が暖房装置４をオフにすることで、非常時において暖房装置４を自動的に安全な状態とすることができる。
【００３７】
次に、電源中継装置１の構成について説明する。図２には、電源中継装置１のブロック図を示している。本実施形態の電源中継装置１は、警報器２からの信号を受信する受信部１０と、外部電源からの電源の供給を中継する電源中継部１２と、受信部１０で受信した信号の内容に応じた電源中継部１２の制御を行う中継制御部１１とを有して構成されている。
【００３８】
受信部１０は、前述のように警報器２からの信号線が接続されている。受信部１０からの信号により所定の制御を行う中継制御部１１は、ＣＰＵ及びメモリによって構成することができ、プログラムに基づき各種処理を行うことができる。
【００３９】
中継制御部１１によって制御される電源中継部１２は、一方が外部電源に接続され、他方が第１出力部１４及び第２出力部１５に接続される。第１出力部１４と第２出力部１５は、それぞれコンセントボックス７の第１接続端子７ｂと第２接続端子７ｃに接続されて、これらを介して第１外部機器３及び第２外部機器４に電力が供給される。電源中継部１２は、第１出力部１４と第２出力部１５についてそれぞれ独立して電源供給のオン・オフを切り替えることができる、リレー等のスイッチを内部に有しており、このスイッチの切替制御を中継制御部１１が行うこととなる。
【００４０】
操作部１６には、動作の設定を行うための選択、解除あるいは設定手段が設けられている。操作部１６に設けられているのは、電源中継部１２をどのように制御するかを選択する、第１制御選択手段２１と、警報信号の受信後に第１接続端子７ｂについての実際の制御を開始するまでの時間を設定する、第１制御開始遅延時間設定手段２３と、電源中継部１２をどのように制御するかを選択する第２制御選択手段２２と、警報信号の受信後に第２接続端子７ｃについての実際の制御を開始するまでの時間を設定する第２制御開始遅延時間設定手段２４と、中継制御部１１による電源中継部１２の制御を強制的に解除する制御解除手段２５と、操作部１６における強制解除の操作後に中継制御部１１において実際に制御を解除するまでの時間を設定する制御解除遅延時間設定手段２６である。
【００４１】
第１制御選択手段２１、第２制御選択手段２２としては、たとえばシーソースイッチや押しボタンスイッチ等を、第１制御開始遅延時間設定手段２３、第２制御開始遅延時間設定手段２４としてはたとえばダイヤル式タイマーや、予め定められた数段階の時間から一つを選択出来るスライドスイッチやロータリースイッチ等からなる構成が適用でき、別に設けた設定用リモコン装置から電源中継装置１の内部に設定処理を行わせるようにする等、他にも各種の構成が適用できる。
【００４２】
また、電源中継装置１には前述のように表示部１３が設けられており、表示部１３は中継制御部１１及び操作部１６にそれぞれ接続されており、中継制御部１１における電源中継部１２の制御の状態や、操作部１６における各設定の状態などを表示することができるようにされている。表示部１３はたとえば、ＬＥＤ等による各種発光表示器や液晶画面やメーター表示器等を用いて構成することが出来る。
【００４３】
中継制御部１１による電源中継部１２の制御について、以下説明する。図３には、本実施形態における制御のフローチャートを示している。中継制御部１１は、受信部１０が何らかの信号を受信したら（Ｓ１）、それが警報器２からの警報信号あるいは試験信号であるか否かを判別する（Ｓ２）。信号が警報信号あるいは試験信号であった場合には、制御動作を行い、信号が警報信号あるいは試験信号ではなかった場合には、信号が停止するまでＳ１とＳ２のステップを繰り返し、信号が停止したら最初の状態に戻る（Ｓ３）。
【００４４】
受信部１０で受信した信号が警報信号あるいは試験信号であった場合、中継制御部１１は操作部１６の状態に応じた制御動作を読み出す（Ｓ４）。ここで制御動作は、操作部１６によってあらかじめ設定されたものであり、その状態は中継制御部１１に記憶されている。
【００４５】
中継制御部１１は、警報信号を受信してから所定の時間経過後に中継動作の制御を開始する。このため中継制御部１１は、警報信号を受信してから第１制御開始遅延時間設定手段２３及び第２制御開始遅延時間設定手段２４により設定された制御開始遅延時間が経過したか否かを判別し（Ｓ５）、当該時間が経過したら次のステップに進む。
【００４６】
制御開始遅延時間は、第１出力部１４については第１制御開始遅延時間設定手段２３により設定され、第２出力部１５については第２制御開始遅延時間設定手段２４により設定される。したがって、これら各設定手段による制御開始遅延時間が異なっている場合は、それぞれ異なる時間、電源中継部１２に対する制御の開始を遅らせることとなる。なお、操作部１６において第１制御開始時間設定手段２３及び第２制御開始遅延時間設定手段２４は、たとえばダイヤル式として、任意の時間を選択できるようにする。
【００４７】
制御開始遅延時間が経過したら、中継制御部１１は電源中継部１２に対する制御を開始する（Ｓ６）。ここで電源中継部１２をどのように制御するかは、第１制御選択手段２１及び第２制御選択手段２２による設定に基づく。なお、操作部１６において第１制御選択手段２１や第２制御選択手段２２は、前述のようにシーソースイッチや押しボタンスイッチなどで構成することができる。
【００４８】
第１出力部１４についての制御は、電源中継部１２の第１出力部１４に対する電源供給の制御をオフからオン、またはオンからオフのいずれかに切替えるものである。本実施形態では、第１外部機器として接続された照明器具３が、警報時にはオフからオンとなるように制御したいので、オフからオンとなる側に設定されている。
【００４９】
第２出力部１５についての制御は、電源中継部１２の第２出力部１５に対する電源供給の制御をオフからオン、またはオンからオフのいずれかに切替えるものである。本実施形態では、第２外部機器として接続された暖房装置４が、警報時にはオンからオフとなるように制御したいので、オンからオフとなる側に設定されている。
【００５０】
したがって、Ｓ６において中継制御部１１は、電源中継部１２のうち第１出力部１４に対する電源供給は、オフであればオンに切替え、オンであればそのままとする制御を行う。また、電源中継部１２のうち第２出力部１５に対する電源供給は、オンであればオフに切替え、オフであればそのままとする制御を行う。
【００５１】
中継制御部１１は、中継制御部１１に対する制御を行いながら、表示部１３に制御中である旨の表示を行わせる（Ｓ７）。これによって、表示部１３を見ることで警報時における制御が行われているか否かを確認することができる。また、試験の際にも、正常に動作していることを表示部１３で確認することができる。ここで言う試験は、ユーザーが構築設定した連動システムの動作を確認するものであり、たとえば警報器２に設けられた試験スイッチ等の試験開始指示手段で試験開始指示が行われた場合に、警報器２２から無線送信される試験信号を受信して、電源中継装置１で実施されるものである。警報器２２からの試験信号によらず、電源中継装置１に押しボタンスイッチ等の試験指示手段を設け、その操作によって実施するようにしても良い。警報器２２以外の外部リモコン装置等から試験指示し、それを受け付けて実施するようにしても良い。この場合試験指示手段の操作があると、図３のステップＳ２（ＹＥＳ）以降一連の動作を実施する。試験指示手段は、中継制御する外部機器毎（外部機器接続端子毎）に試験指示できるようにしてもよいし、複数の外部機器への連動を一括で試験指示できるようにしても良い。つまり何らかの手段により試験指示情報を受け付けて、受け付けた試験指示情報に応じ試験対象となる外部機器を選択して試験するようにすれば良い。
【００５２】
また、制御中には、操作部１６において制御解除手段２５による制御の強制解除操作があるか否かを監視している（Ｓ８）。強制解除がなければ、そのまま制御を継続するが、強制解除の操作があった場合には、制御解除遅延時間設定手段２６によりあらかじめ設定されていた制御解除遅延時間が強制解除の操作時から経過するまでループし（Ｓ９）、経過したら制御状態を解除して（Ｓ１０）、最初の状態に戻る。
【００５３】
なお、操作部１６において強制解除手段２５は、押しボタンスイッチなどで構成することができる。また、制御解除遅延時間設定手段２６は、たとえばダイヤル式として、任意の時間を選択できるようにする。
【００５４】
第１出力部１４と第２出力部１５に接続されるコンセントボックス７の第１接続端子７ｂと第２接続端子７ｃは、一般の交流１００Ｖ電源コンセントのプラグ差し込み口の構成からなり、したがって外部機器としては電源容量の範囲内で、一般的な交流１００Ｖ用電源プラグから電源供給を受け動作する各種機器を接続することができる。そして、操作部１６においてオンからオフあるいはオフからオンのいずれかの制御動作を選択しておくことで、外部機器に応じた警報時における動作を任意に設定することができる。したがって、一般家庭においてこの電源中継装置１を設けることで、警報信号によって自動的に電気機器の制御を行うシステムを構築することができる。また、外部機器を別のものとすることで、いつでもシステムを変更することができる。さらには、大がかりなシステムではないために、また前述のような試験機能を備えることで、動作確認も簡単に行うことができる。
【００５５】
本実施形態では、２つの外部機器のオン・オフ制御をできるように、第１出力部１４と第２出力部１５を設けたが、接続可能な外部機器の数は、１つであってもよいし３つ以上であってもよい。また、外部機器はどのようなものであってもよく、例えばテレビや災害情報ラジオ、屋外に設置する回転灯などが考えられる。また、警報器２として本実施形態では煙を検出して火災を警報する火災警報器を想定しているが、炎や熱、ガス等を検出する火災警報器、あるいはガス漏れ警報器や地震警報器、侵入検知器などの防犯用警報器や他の種類の警報器であってもよいし、一台で複数の異常を検知できる複数の機能を有した警報器であってもよい。もちろん、システム内にこれら異種の警報器を混在させても良い。
【００５６】
このように、警報器２や外部機器を様々に入れ替えることにより、以下のようなシステムとすることもできる。例えば、警報器が火災やガス漏れ、地震を検出したとき、卓上簡易照明を自動的に点灯し、同時に災害情報ラジオの電源をオンにする。また、警報器が屋外敷地への侵入者を検出した場合、屋内の簡易照明や屋外の回転灯を自動的に点灯させて、侵入者を威嚇する。照明だけでなく、テレビやラジオ等、音を発する外部機器を接続し、動作させてもよい。
【００５７】
本実施形態では第１制御選択手段２１と第２制御選択手段２２を設けて、第１接続端子７ｂに対する制御と第２接続端子７ｃに対する制御を独立して設定できるようにしたが、制御選択手段を１つとし複数の出力部について一括して制御を行うようにしてもよい。
【００５８】
さらには、本実施形態では、第１接続端子７ｂに対する制御開始遅延時間と第２接続端子７ｃに対する制御開始遅延時間を、それぞれ独立して設定できるようにしているが、これらも一括して設定できるようにしてもよい。逆に、本実施形態では制御解除遅延時間を一括して設定し、また制御解除も一括して行うようにしているが、それぞれ独立して設定及び動作できるように、制御解除手段２５及び制御解除遅延時間設定手段２６を複数設けるようにしてもよい。この場合、例えば侵入センサからの警報信号により屋内の照明と屋外の回転灯をオフからオンに制御し、点灯させている照明を、この照明が接続された外部機器接続端子に対応した制御解除手段により強制的に制御解除して消灯させ、回転灯だけを継続制御することができる。
【００５９】
また、本実施形態では電源中継装置１と警報器２が有線で接続され、信号を送受信しているが、警報器２を無線信号の送受信が可能となるように構成し、電源中継装置１の受信部１０には無線信号を受信できるようにアンテナを設けて、電源中継装置１と警報器２間の信号の送受信を無線で行うようにしてもよい。この場合において、電源中継装置１の構成は、受信部１０以外は同様とすることができる。
【００６０】
なお、本考案の電源中継装置１は、適切に統一化または規格化が図られた電源プラグや端子を有する外部機器に対して、当該電源プラグや端子の装着に適した外部接続端子を備えることによってその目的を達成することができ、商用電源の中継に限定されるものではない。さらに、交流１００Ｖ電源に限定されるものでもない。
【００６１】
以上、本考案の実施形態について説明したが、本考案の適用は本実施形態には限られず、その技術的思想の範囲内において様々に適用されうるものである。例えば、本実施形態では電源中継装置１をコンセントボックス７の内部に納めるようにしたが、壁面内であってコンセントボックス７の外部に電源中継装置１を配置するようにしてもよい。
【図面の簡単な説明】
【００６２】
【図１】本実施形態における電源中継装置を用いた防災システムの概要図である。
【図２】電源中継装置のブロック図である。
【図３】本実施形態における制御のフローチャートである。
【符号の説明】
【００６３】
１    電源中継装置
２    警報器
３    照明器具
４    暖房装置
７    コンセントボックス
７ａ  露出部
７ｂ  第１接続端子
７ｃ  第２接続端子
１０    受信部
１１    中継制御部
１２    電源中継部
１３    表示部
１４    第１出力部
１５    第２出力部
１６    操作部
２１    第１制御選択手段
２２    第２制御選択手段
２３    第１制御開始遅延時間設定手段
２４    第２制御開始遅延時間設定手段
２５    制御解除手段
２６    制御解除遅延時間設定手段
【図１】
0003173300.tif 000003
【図２】
0003173300.tif 000004
【図３】
0003173300.tif 000005